(57)【要約】【課題】  より均一に光を照射することが可能なＬＥＤ照明器具を提供すること。【解決手段】  ＬＥＤ照明器具１０１は、第１方向における一方側である照射側を向く第１ＬＥＤ基板３１０と、第１ＬＥＤ基板３１０に搭載された複数の第１ＬＥＤチップ５１１と、第１方向視において第１ＬＥＤ基板３１０に囲まれた第２ＬＥＤ基板３２０と、第２ＬＥＤ基板３２０に搭載された複数の第２ＬＥＤチップ５２１と、複数の第１ＬＥＤチップ５１１および第２ＬＥＤチップ５２１に対して上記照射側に位置し、複数の第１ＬＥＤチップ５１１および第２ＬＥＤチップ５２１からの光を拡散させつつ透過させる外部カバー７１０と、第２ＬＥＤ基板３２０に、上記照射側を向く閉状態と、上記閉状態において上記第１方向における上記照射側とは反対の設置側に位置する空間を露出させる開状態と、をとらせる蝶番２５０を備える。【選択図】  図６
2014072033.tif 000002
【特許請求の範囲】
【請求項１】
第１方向における一方側である照射側を向く第１ＬＥＤ基板と、
上記第１ＬＥＤ基板に搭載された複数の第１ＬＥＤチップと、
上記第１方向視において上記第１ＬＥＤ基板に囲まれた第２ＬＥＤ基板と、
上記第２ＬＥＤ基板に搭載された複数の第２ＬＥＤチップと、
上記複数の第１および第２ＬＥＤチップに対して上記照射側に位置し、上記複数の第１および第２ＬＥＤチップからの光を拡散させつつ透過させる外部カバーと、
上記第２ＬＥＤ基板に、上記照射側を向く閉状態と、上記閉状態において上記第１方向における上記照射側とは反対の設置側に位置する空間を露出させる開状態と、をとらせる開閉機構を備えることを特徴とする、ＬＥＤ照明器具。
【請求項２】
上記設置側に位置する空間には、天井に設けられた給電コンセントに固定するための設置部品が収容される、請求項１に記載のＬＥＤ照明器具。
【請求項３】
上記第２ＬＥＤ基板は、上記閉状態において上記第１ＬＥＤ基板と面一とされている、請求項１または２に記載のＬＥＤ照明器具。
【請求項４】
上記複数の第２ＬＥＤチップを上記照射側から覆うとともに、上記第２ＬＥＤ基板とともに上記閉状態および上記開状態をとる第２内部カバーを備える、請求項１ないし３のいずれかに記載のＬＥＤ照明器具。
【請求項５】
上記第２内部カバーは、透明である、請求項４に記載のＬＥＤ照明器具。
【請求項６】
上記第２内部カバーの一部が、上記開閉機構を構成している、請求項４または５に記載のＬＥＤ照明器具。
【請求項７】
上記開閉機構は、蝶番である、請求項６に記載のＬＥＤ照明器具。
【請求項８】
上記複数の第１ＬＥＤチップを上記照射側から覆う第１内部カバーを備える、請求項４ないし７のいずれかに記載のＬＥＤ照明器具。
【請求項９】
上記第１内部カバーは、透明である、請求項８に記載のＬＥＤ照明器具。
【請求項１０】
上記第１内部カバーの一部が、上記開閉機構を構成している、請求項８または９に記載のＬＥＤ照明器具。
【請求項１１】
上記第２内部カバーは、上記閉状態において上記第１内部カバーと面一とされている、請求項８ないし１０のいずれかに記載のＬＥＤ照明器具。
【請求項１２】
上記外部カバーは、脱着自在であり、
上記第２ＬＥＤ基板は、上記開状態において装着状態である上記外部カバーと接触しうる、請求項１ないし１１のいずれかに記載のＬＥＤ照明器具。
【請求項１３】
上記複数の第１および第２ＬＥＤチップが、同心円上に配置されている、請求項１ないし１２のいずれかに記載のＬＥＤ照明器具。
【請求項１４】
上記第２ＬＥＤ基板は、円形である、請求項１３に記載のＬＥＤ照明器具。
【請求項１５】
上記第１ＬＥＤ基板は、円弧形状のものを含む、請求項１３または１４に記載のＬＥＤ照明器具。
【請求項１６】
上記複数の第１および第２ＬＥＤチップが、マトリクス状に配置されている、請求項１ないし１２のいずれかに記載のＬＥＤ照明器具。
【請求項１７】
上記第２ＬＥＤ基板は、矩形状である、請求項１６に記載のＬＥＤ照明器具。
【請求項１８】
上記第１ＬＥＤ基板は、矩形状のものを含む、請求項１６または１７に記載のＬＥＤ照明器具。
【請求項１９】
各々が上記複数の第１ＬＥＤチップを各別に含む複数の第１ＬＥＤモジュールと、各々が上記複数の第２ＬＥＤチップを各別に含む複数の第２ＬＥＤモジュールと、を備えている、請求項１ないし１８のいずれかに記載のＬＥＤ照明器具。
【請求項２０】
上記複数の第１および第２ＬＥＤモジュールは、互いに異なる波長を発するものを含んでおり、かつ互いに異なる波長の光を発するものどうしが千鳥配置とされている、請求項１９に記載のＬＥＤ照明器具。
【請求項２１】
上記互いに異なる波長の光は、一方が昼光色であり、他方が電球色である、請求項２０に記載のＬＥＤ照明器具。
【発明の詳細な説明】
【技術分野】
【０００１】
本発明は、ＬＥＤ照明器具に関する。
【背景技術】
【０００２】
図１１は、シーリングライトとして用いられる従来のＬＥＤ照明器具の一例を示している（たとえば、特許文献１参照）。同図に示されたＬＥＤ照明器具９００は、全体として薄い円盤状であり、天井９９０に取り付けて用いられる。ＬＥＤ照明器具９００は、複数の光源部９１０、反射面９２０、およびカバー９３０を備えている。光源部９１０は、各々がＬＥＤチップ（図示略）を内蔵しており、円状に配置されている。反射面９２０は、たとえば白色塗装が施された金属板部材の表面である。光源部９１０からの光は、反射面９２０によって反射されることにより、図中下方へと進行する。カバー９３０は、たとえば光を拡散しながら透過する樹脂からなり、反射面９２０によって反射された光を、拡散しながら図中下方へと透過する。ＬＥＤ照明器具９００の天井９９０への取り付けは、たとえば設置部品９８０を介してなされる。
【０００３】
ＬＥＤ照明器具９００を天井９９０に取り付ける際には、カバー９３０を取り外した状態で、設置部品９８０を取り扱う。このため、設置部品９８０と重なる領域は、非発光領域とされている。このような構成のＬＥＤ照明器具９００を点灯させると、カバー９３０の中央部付近領域がそれ以外の領域と比べて顕著に暗くなってしまうという問題があった。この明るさの不均一を緩和するには、たとえばカバー９３０を膨出した形状とする手法を採用しうる。しかし、この手法では、ＬＥＤ照明器具９００の薄型化が阻害されてしまう。
【先行技術文献】
【特許文献】
【０００４】
【特許文献１】特開２００８−３００２０３号公報
【発明の概要】
【発明が解決しようとする課題】
【０００５】
本発明は、上記した事情のもとで考え出されたものであって、薄型化を図りつつより均一に光を照射することが可能なＬＥＤ照明器具を提供することをその課題とする。
【課題を解決するための手段】
【０００６】
本発明によって提供されるＬＥＤ照明器具は、第１方向における一方側である照射側を向く第１ＬＥＤ基板と、上記第１ＬＥＤ基板に搭載された複数の第１ＬＥＤチップと、上記第１方向視において上記第１ＬＥＤ基板に囲まれた第２ＬＥＤ基板と、上記第２ＬＥＤ基板に搭載された複数の第２ＬＥＤチップと、上記複数の第１および第２ＬＥＤチップに対して上記照射側に位置し、上記複数の第１および第２ＬＥＤチップからの光を拡散させつつ透過させる外部カバーと、上記第２ＬＥＤ基板に、上記照射側を向く閉状態と、上記閉状態において上記第１方向における上記照射側とは反対の設置側に位置する空間を露出させる開状態と、をとらせる開閉機構を備えることを特徴としている。
【０００７】
本発明の好ましい実施の形態においては、上記設置側に位置する空間には、天井に設けられた給電コンセントに固定するための設置部品が収容される。
【０００８】
本発明の好ましい実施の形態においては、上記第２ＬＥＤ基板は、上記閉状態において上記第１ＬＥＤ基板と面一とされている。
【０００９】
本発明の好ましい実施の形態においては、上記複数の第２ＬＥＤチップを上記照射側から覆うとともに、上記第２ＬＥＤ基板とともに上記閉状態および上記開状態をとる第２内部カバーを備える。
【００１０】
本発明の好ましい実施の形態においては、上記第２内部カバーは、透明である。
【００１１】
本発明の好ましい実施の形態においては、上記第２内部カバーの一部が、上記開閉機構を構成している。
【００１２】
本発明の好ましい実施の形態においては、上記開閉機構は、蝶番である。
【００１３】
本発明の好ましい実施の形態においては、上記複数の第１ＬＥＤチップを上記照射側から覆う第１内部カバーを備える。
【００１４】
本発明の好ましい実施の形態においては、上記第１内部カバーは、透明である。
【００１５】
本発明の好ましい実施の形態においては、上記第１内部カバーの一部が、上記開閉機構を構成している。
【００１６】
本発明の好ましい実施の形態においては、上記第２内部カバーは、上記閉状態において上記第１内部カバーと面一とされている。
【００１７】
本発明の好ましい実施の形態においては、上記外部カバーは、脱着自在であり、上記第２ＬＥＤ基板は、上記開状態において装着状態である上記外部カバーと接触しうる。
【００１８】
本発明の好ましい実施の形態においては、上記複数の第１および第２ＬＥＤチップが、同心円上に配置されている。
【００１９】
本発明の好ましい実施の形態においては、上記第２ＬＥＤ基板は、円形である。
【００２０】
本発明の好ましい実施の形態においては、上記第１ＬＥＤ基板は、円弧形状のものを含む。
【００２１】
本発明の好ましい実施の形態においては、上記複数の第１および第２ＬＥＤチップが、マトリクス状に配置されている。
【００２２】
本発明の好ましい実施の形態においては、上記第２ＬＥＤ基板は、矩形状である。
【００２３】
本発明の好ましい実施の形態においては、上記第１ＬＥＤ基板は、矩形状のものを含む。
【００２４】
本発明の好ましい実施の形態においては、各々が上記複数の第１ＬＥＤチップを各別に含む複数の第１ＬＥＤモジュールと、各々が上記複数の第２ＬＥＤチップを各別に含む複数の第２ＬＥＤモジュールと、を備えている。
【００２５】
本発明の好ましい実施の形態においては、上記複数の第１および第２ＬＥＤモジュールは、互いに異なる波長を発するものを含んでおり、かつ互いに異なる波長の光を発するものどうしが千鳥配置とされている。
【００２６】
本発明の好ましい実施の形態においては、上記互いに異なる波長の光は、一方が昼光色であり、他方が電球色である。
【００２７】
このような構成によれば、上記第２ＬＥＤ基板を開状態とすることにより、上記第２ＬＥＤ基板よりも天井側に位置する空間にアクセス可能となる。一方、上記第２ＬＥＤ基板を閉状態とすることにより、上記ＬＥＤ照明器具全体を発光させることができる。また、これにより、上記外部カバーを上記第１ＬＥＤ基板および上記第２ＬＥＤ基板から離間させることなく均一な照射が可能となる。このため、上記外部カバーを上記第１ＬＥＤ基板および上記第２ＬＥＤ基板に近接した薄い形状とすることが可能である。したがって、上記ＬＥＤ照明器具の薄型化を図りつつより均一に光を照射することができる。
【００２８】
本発明のその他の特徴および利点は、添付図面を参照して以下に行う詳細な説明によって、より明らかとなろう。
【図面の簡単な説明】
【００２９】
【図１】本発明の第１実施形態に基づくＬＥＤ照明器具を示す要部平面図である。
【図２】本発明の第１実施形態に基づくＬＥＤ照明器具を示す要部平面図である。
【図３】図１のＩＩＩ−ＩＩＩ線に沿う断面図である。
【図４】図１のＬＥＤ照明器具を示す要部拡大断面図である。
【図５】図１のＬＥＤ照明器具を示す分解断面図である。
【図６】図１のＬＥＤ照明器具を示す要部拡大断面図である。
【図７】図１のＬＥＤ照明器具の第１または第２ＬＥＤモジュールを示す断面図である。
【図８】図１のＬＥＤ照明器具の第１ＬＥＤ基板を示す平面図である。
【図９】本発明の第２実施形態に基づくＬＥＤ照明器具を示す要部平面図である。
【図１０】本発明の第２実施形態に基づくＬＥＤ照明器具を示す要部平面図である。
【図１１】従来のＬＥＤ照明器具の一例を示す断面図である。
【発明を実施するための形態】
【００３０】
以下、本発明の好ましい実施の形態につき、図面を参照して具体的に説明する。
【００３１】
図１〜図６は、本発明の第１実施形態に基づくＬＥＤ照明器具を示している。本実施形態のＬＥＤ照明器具１０１は、天板２００、複数の第１ＬＥＤ基板３１０、第２ＬＥＤ基板３２０、第１内部カバー４１０、第２内部カバー４２０、複数の第１ＬＥＤモジュール５１０、複数の第２ＬＥＤモジュール５２０、蝶番２５０、電源部６１０、および外部カバー７１０を備えている。ＬＥＤ照明器具１０１は、たとえば図３に示すように天井８９０に設けられた給電コンセント８１０に装着された設置部品８２０に取り付けられることにより、いわゆるシーリングライトとして用いられるものである。なお、理解の便宜上、図１においては外部カバー７１０を省略しており、図２においては、外部カバー７１０、第１内部カバー４１０、および第２内部カバー４２０を省略している。
【００３２】
天板２００は、たとえば金属板からなり、ＬＥＤ照明器具１０１の土台となっている。本実施形態においては、天板２００は、平面視円形状とされている。天板２００の中央には、係止部品２１０が取り付けられている。係止部品２１０は、たとえば金属あるいは樹脂からなり、設置部品８２０と係合することにより、ＬＥＤ照明器具１０１を天井８９０に対して固定するためのものである。
【００３３】
複数の第１ＬＥＤ基板３１０は、平面視において天板２００の大部分を覆うように配置されており、たとえば天板２００に支持されている。各第１ＬＥＤ基板３１０は、たとえばガラスエポキシ樹脂、セラミックスなどからなり絶縁性表面を有する基材と、この基材上に形成された配線パターンと、この基材および配線パターンを部分的に覆うレジスト膜とを有する。上記レジスト膜は、たとえば白色樹脂からなる。各第１ＬＥＤ基板３１０には、複数の第１ＬＥＤモジュール５１０が搭載されている。複数の第１ＬＥＤモジュール５１０が配置されるべき領域に、複数の第１ＬＥＤ基板３１０が配置されている。個々の第１ＬＥＤ基板３１０の形状は、適宜変更可能である。また、１つの第１ＬＥＤ基板３１０のみを備える構成としてもよい。図示された複数の第１ＬＥＤ基板３１０の１つには、開口３１１が形成されている。開口３１１は、リモコン受信部６２０を露出させるために設けられている。
【００３４】
第２ＬＥＤ基板３２０は、複数の第１ＬＥＤ基板３１０に囲まれており、本実施形態においては、ＬＥＤ照明器具１０１の中央に位置する。第２ＬＥＤ基板３２０は、たとえばガラスエポキシ樹脂、セラミックスなどからなり絶縁性表面を有する基材と、この基材上に形成された配線パターンと、この基材および配線パターンを部分的に覆うレジスト膜とを有する。上記レジスト膜は、たとえば白色樹脂からなる。第２ＬＥＤ基板３２０には、複数の第２ＬＥＤモジュール５２０が搭載されている。本実施形態においては、第２ＬＥＤ基板３２０は、矩形状である。ＬＥＤ照明器具１０１が天井８９０に取り付けられた状態においては、第２ＬＥＤ基板３２０に対して天井８９０側に位置する空間には、設置部品８２０が収容される。
【００３５】
複数の第１ＬＥＤモジュール５１０は、複数の第１ＬＥＤ基板３１０に搭載されている。複数の第２ＬＥＤモジュール５２０は、第２ＬＥＤ基板３２０に搭載されている。本実施形態においては、複数の第１ＬＥＤモジュール５１０および複数の第２ＬＥＤモジュール５２０は、マトリクス状に配置されている。第１ＬＥＤモジュール５１０および第２ＬＥＤモジュール５２０は、本実施形態においては、共通の構成とされており、平面視長矩形状とされている。図７は、第１ＬＥＤモジュール５１０および第２ＬＥＤモジュール５２０の短手方向に対して直角である平面における断面図を示している。
【００３６】
図７に示すように、第１ＬＥＤモジュール５１０および第２ＬＥＤモジュール５２０は、１対のリード５３０、第１ＬＥＤチップ５１１または第２ＬＥＤチップ５２１、封止樹脂５５０、およびケース５４０を備えている。１対のリード５３０は、たとえばＣｕ合金からなり、その一方に第１ＬＥＤチップ５１１または第２ＬＥＤチップ５２１が搭載されている。リード５３０のうち第１ＬＥＤチップ５１１または第２ＬＥＤチップ５２１が搭載された面と反対側の面は、第１ＬＥＤモジュール５１０および第２ＬＥＤモジュール５２０を面実装するために用いられる実装端子５３１とされている。第１ＬＥＤチップ５１１および第２ＬＥＤチップ５２１は、第１ＬＥＤモジュール５１０および第２ＬＥＤモジュール５２０の光源であり、たとえば青色光を発光可能とされている。封止樹脂５５０は、第１ＬＥＤチップ５１１および第２ＬＥＤチップ５２１を保護するためのものである。封止樹脂５５０は、第１ＬＥＤチップ５１１および第２ＬＥＤチップ５２１からの光によって励起されることにより黄色光を発する蛍光物質を含む透光樹脂を用いて形成されている。これにより、第１ＬＥＤモジュール５１０および第２ＬＥＤモジュール５２０は、発する光の色温度を適宜設定可能である。本実施形態においては、複数の第１ＬＥＤモジュール５１０および複数の第２ＬＥＤモジュール５２０は、それぞれ昼光色を発するものと電球色を発するものとを含んでいる。上記蛍光物質としては、黄色光を発するものに代えて、赤色光を発するものと緑色光を発するものとを混合して用いてもよい。ケース５４０はたとえば白色樹脂からなり、第１ＬＥＤチップ５１１および第２ＬＥＤチップ５２１から側方に発された光を上方に反射するためのものである。なお、第１ＬＥＤチップ５１１および第２ＬＥＤチップ５２１は、２つのワイヤによって１対のリード５３０に接続される、いわゆる２ワイヤタイプのものでもよい。
【００３７】
図８は、ある第１ＬＥＤ基板３１０とこれに搭載された複数の第１ＬＥＤモジュール５１０とを示している。本図において、白色四角形で示された第１ＬＥＤモジュール５１０は、昼光色を発し、灰色四角形で示された第１ＬＥＤモジュール５１０は、電球色を発する。昼光色を発する第１ＬＥＤモジュール５１０と電球色を発する第１ＬＥＤモジュール５１０とは、互いに隣り合わない配置とされており、千鳥状の配置となっている。複数の第２ＬＥＤモジュール５２０も、昼光色を発するものと電球色を発するものとを含んでおり、互いに千鳥状の配置とされている。
【００３８】
第１内部カバー４１０は、複数の第１ＬＥＤモジュール５１０および複数の第１ＬＥＤ基板３１０を覆っており、本実施形態においては、透明な樹脂からなる。第１内部カバー４１０は、たとえばＬＥＤ照明器具１０１を天井に設置する際に、誤って第１ＬＥＤモジュール５１０に触れてしまうことを防止するためのものである。第１内部カバー４１０には、開口４１１，４１２が形成されている。開口４１１は、第２ＬＥＤ基板３２０および第２内部カバー４２０よりも若干大であり、平面視においてこれらを囲んでいる。開口４１２は、第１ＬＥＤ基板３１０の開口３１１と重なっており、リモコン受信部６２０を露出させるために設けられている。
【００３９】
第２内部カバー４２０は、複数の第２ＬＥＤモジュール５２０および複数の第２ＬＥＤ基板３２０を覆っており、本実施形態においては、透明な樹脂からなる。第２内部カバー４２０は、たとえばＬＥＤ照明器具１０１を天井に設置する際に、誤って第２ＬＥＤモジュール５２０に触れてしまうことを防止するためのものである。
【００４０】
本実施形態においては、図４に示すように、第１ＬＥＤ基板３１０と第２ＬＥＤ基板３２０とが、厚さ方向において同じ位置に配置されている。これにより、複数の第１ＬＥＤモジュール５１０と複数の第２ＬＥＤモジュール５２０とは、第１ＬＥＤ基板３１０および第２ＬＥＤ基板３２０の厚さ方向における位置が同じである。
【００４１】
図４および図６に示すように、ＬＥＤ照明器具１０１は、蝶番２５０を備えている。蝶番２５０は、本発明で言う開閉機構の一例に相当し、第２ＬＥＤ基板３２０に図３および図４に示す閉状態と、図５および図６に示す開状態とをとらせる。本実施形態においては、図４および図６に示すように、第２ＬＥＤ基板３２０は、第２内部カバー４２０によって支持されている。第２内部カバー４２０は、平板部４２１、蝶番部４２２、およびフック部４２３を有している。平板部４２１は、図１に示すように矩形状の板状部分であり、第２ＬＥＤ基板３２０とほぼ重なる形状およびサイズとされている。蝶番部４２２は、蝶番２５０を構成する部分要素となっており、蝶番２５０を構成する軸が挿通される円筒形部分である。蝶番２５０は、第２内部カバー４２０の蝶番部４２２、上記軸、および第１内部カバー４１０の一部によって構成されている。フック部４２３は、第１内部カバー４１０の一部と係合可能な部位であり、第２ＬＥＤ基板３２０および第２内部カバー４２０の閉状態を保つためのものである。図１〜図４においては、第２ＬＥＤ基板３２０および第２内部カバー４２０が閉状態をとっているＬＥＤ照明器具１０１を示している。図５および図６に示すように、第２ＬＥＤ基板３２０および第２内部カバー４２０に開状態を取らせる際には、外部カバー７１０を取り外す必要がある。開状態となった第２ＬＥＤ基板３２０および第２内部カバー４２０は、外部カバー７１０と干渉しうる。
【００４２】
電源部６１０は、設置部品８２０に対して図示しないケーブルによって接続されており、天井８９０の給電コンセント８１０からのたとえば商用１００Ｖ交流電力を複数の第１ＬＥＤチップ５１１および複数の第２ＬＥＤチップ５２１を点灯させるのに適した直流電力に変換する機能を果たす。電源部６１０は、リモコン受信部６２０からの信号により、っ点灯および消灯制御を行う。リモコン受信部６２０は、図外のリモコン送信機から発せられたたとえば赤外線を受けることにより、点灯および消灯を指示する信号を電源部６１０へと送る。さらに、リモコン受信部６２０は、昼光色と電球色との比率や発光輝度を調整するための赤外線信号を受けることにより、電源部６１０にこれらを調整するための信号を送ってもよい。
【００４３】
外部カバー７１０は、天板部２００とほぼ重なる大きさおよび形状とされており、本実施形態においては、円形状とされている。外部カバー７１０は、たとえば半透明な乳白色の樹脂によって形成されており、複数の第１ＬＥＤモジュール５１０および複数の第２ＬＥＤモジュール５２０からの光を拡散させつつ透過させる。本実施形態においては、外部カバー７１０を囲むように装飾リング７２０が天板２００に対して取り付けられている。装飾リング７２０は、透明樹脂、半透明樹脂、あるいは金属などからなる。
【００４４】
次に、ＬＥＤ照明器具１０１の作用について説明する。
【００４５】
本実施形態によれば、第２ＬＥＤ基板３２０を開状態とすることにより、第２ＬＥＤ基板３２０よりも天井８９０側に位置する空間にアクセス可能となる。一方、第２ＬＥＤ基板３２０を閉状態とすることにより、ＬＥＤ照明器具１０１全体を発光させることができる。また、これにより、外部カバー７１０を第１ＬＥＤモジュール５１０および第２ＬＥＤモジュール５２０から離間させることなく均一な照射が可能となる。このため、外部カバー７１０を第１ＬＥＤモジュール５１０および第２ＬＥＤモジュール５２０に近接した薄い形状とすることが可能である。したがって、ＬＥＤ照明器具１０１の薄型化を図りつつより均一に光を照射することができる。
【００４６】
第２ＬＥＤ基板３２０に対して天井８９０側に位置する空間に設置部品８２０を収容する構成とすることにより、ＬＥＤ照明器具１０１を天井８９０に取り付ける際には、第２ＬＥＤ基板３２０を開状態とすることにより、設置部品８２０に容易にアクセスすることができる。
【００４７】
第２ＬＥＤ基板３２０が閉状態をとったときに第１ＬＥＤ基板３１０と面一となる構成とすることにより、ＬＥＤ照明器具１０１の全体をより均一に発光させることができる。第２内部カバー４２０によって、複数の第２ＬＥＤモジュール５２０を保護することができる。第２内部カバー４２０の一部である蝶番部４２２によって蝶番２５０を構成することにより、閉状態において第２ＬＥＤ基板３２０をより天井８９０側へと位置させることができる。このため、互いに面一である第１ＬＥＤ基板３１０および第２ＬＥＤ基板３２０を天井８９０へと近づけることにより、ＬＥＤ照明器具１０１の薄型化を図ることができる。第１内部カバー４１０の一部によって蝶番２５０を構成することにより、第１内部カバー４１０と第２内部カバー４２０とを面一な関係とすることができる。
【００４８】
複数の第１ＬＥＤモジュール５１０および複数の第２ＬＥＤモジュール５２０をマトリクス状に配置することにより、ＬＥＤ照明器具１０１の外縁側および中央側の双方において複数の第１ＬＥＤモジュール５１０および複数の第２ＬＥＤモジュール５２０を偏りなく、より均一に配置することができる。これは、ＬＥＤ照明器具１０１を均一に発光させるのに適している。また、複数の第１ＬＥＤモジュール５１０および複数の第２ＬＥＤモジュール５２０について、昼光色を発するものと電球色を発するものとを千鳥状に配置することにより、昼光色、電球色、およびこれらの中間色を発したときに、いずれの場合であってもＬＥＤ照明器具１０１を均一に光らせることができる。
【００４９】
図９および図１０は、本発明の第２実施形態に基づくＬＥＤ照明器具を示している。なお、これらの図において、上記実施形態と同一または類似の要素には、上記実施形態と同一の符号を付している。なお、理解の便宜上、図９においては外部カバー７１０を省略しており、図１０においては、外部カバー７１０、第１内部カバー４１０、および第２内部カバー４２０を省略している。
【００５０】
図９および図１０に示されたＬＥＤ照明器具１０２においては、複数の第１ＬＥＤモジュール５１０および複数の第２ＬＥＤモジュール５２０が同心円状に配置されている。本実施形態においても、複数の第１ＬＥＤモジュール５１０および複数の第２ＬＥＤモジュール５２０については、昼光色を発するものと電球色を発するものとが千鳥状に配置されている。
【００５１】
第２ＬＥＤ基板３２０および第２内部カバー４２０は、円形状である。複数の第１ＬＥＤ基板３１０は、各々が円弧形状とされている。第２内部カバー４２０の平板部４２１は、円形状である。平板部４２１の径方向一端部には、蝶番部４２２が形成されており、径方向他端部には、フック部４２３が形成されている。
【００５２】
このような実施形態においても、ＬＥＤ照明器具１０２の薄型化を図りつつより均一に光を照射することができる。
【００５３】
本発明に係るＬＥＤ照明器具は、上述した実施形態に限定されるものではない。本発明に係るＬＥＤ照明器具の各部の具体的な構成は、種々に設計変更自在である。
【符号の説明】
【００５４】
１０１，１０２  ＬＥＤ照明器具
２００  天板
２１０  係止部品
２５０  蝶番（開閉機構）
３１０  第１ＬＥＤ基板
３１１  開口
３２０  第２ＬＥＤ基板
４１０  第１内部カバー
４１１，４１２  開口
４２０  第２内部カバー
４２１  平板部
４２２  蝶番部
４２３  フック部
５１０  第１ＬＥＤモジュール
５２０  第２ＬＥＤモジュール
５１１  第１ＬＥＤチップ
５２１  第２ＬＥＤチップ
６１０  電源部
６２０  リモコン受信部
７１０  外部カバー
７２０  装飾リング
８１０  給電コンセント
８２０  設置部品
８９０  天井
【図１】
2014072033.tif 000003
【図２】
2014072033.tif 000004
【図３】
2014072033.tif 000005
【図４】
2014072033.tif 000006
【図５】
2014072033.tif 000007
【図６】
2014072033.tif 000008
【図７】
2014072033.tif 000009
【図８】
2014072033.tif 000010
【図９】
2014072033.tif 000011
【図１０】
2014072033.tif 000012
【図１１】
2014072033.tif 000013